(57)【要約】【課題】パレットの水平部が濡れる原因の一つを除くことができる機械式駐車装置を開発することを課題とする。【解決手段】車両を載置する複数のパレット１０、１１を有し、当該パレットが少なくとも上下２段に設置され、パレットを移動させる移動手段を有し、必要に応じて前記パレットを特定の階に移動して車両の出し入れを行う。前記パレットには基準パレット１０と異形パレット１１が含まれる。基準パレット１０及び異形パレット１１は、いずれも中央に車両を載せる載置部２が設けられ、少なくとも幅方向の一方の側方に載置部２から立ち上がった立ち上がり部８ａ、８ｂがある。異形パレット１１は、基準パレット１０に比べて前記立ち上がり部８ａ、８ｂの立ち上がり位置が幅方向の中央寄りとなっており、前記基準パレット１０の真上の位置に前記異形パレット１１が配置される場合がある。【選択図】図３
2020190125.tif 000002
【特許請求の範囲】
【請求項１】
車両を載置する複数のパレットを有し、当該パレットが少なくとも上下２段に設置され、前記パレットを移動させる移動手段を有し、必要に応じて前記パレットを特定の階に移動して車両の出し入れを行う機械式駐車装置において、
前記パレットには基準パレットと異形パレットが含まれ、
前記基準パレット及び異形パレットは、いずれも中央に車両を載せる載置部が設けられ、少なくとも幅方向の一方の側方に前記載置部から立ち上がった立ち上がり部があり、
前記異形パレットは、基準パレットに比べて前記立ち上がり部の立ち上がり位置が幅方向の中央寄りとなっており、
前記基準パレットの真上の位置に前記異形パレットが配置される場合があることを特徴とする機械式駐車装置。
【請求項２】
特定の階に前記パレットが横方向に並んで配置されたパレットの組み合わせが存在し、  さらにその真上の階にもパレットが横方向に並んで配置されたパレットの組み合わせが存在し、
前記特定の階における前記組み合わせを構成するパレットはいずれも基準パレットであり、当該組み合わせを構成する基準パレットには、少なくとも隣接側に前記立ち上がり部があり、
その真上の階における前記組み合わせを構成するパレットはいずれも異形パレットであり、当該組み合わせを構成する異形パレットにも、少なくとも隣接側に前記立ち上がり部があることを特徴とする請求項１に記載の機械式駐車装置。
【請求項３】
前記パレットが上下に複数段、且つ横方向に複数列設置され、
前記移動手段は、前記パレットを昇降移動させる昇降手段と、前記パレットを水平移動させる横行手段を備え、
入出庫階があり、当該入出庫階にあるパレットは水平移動可能であり、それよりも上の階にあるパレットは、水平移動及び／又は昇降移動可能であり、
入出庫階にあるパレットから車両を出し入れする場合には、当該入出庫階にパレットを置いた状態で車両を出し入れし、
それよりも上の階にあるパレットから車両を出し入れする場合には、当該パレットを入出庫階に移動させた状態で車両を出し入れするものであり、
前記入出庫階にあるパレットは基準パレットであり、その真上の階に配されたパレットは異形パレットであることを特徴とする請求項１又は２に記載の機械式駐車装置。
【請求項４】
前記パレットが上下２段、且つ横方向に複数列設置され、さらにその下にパレット収容空間が設けられたピット二段式の機械式駐車装置であり、下段のパレットが基準パレットであり、上段のパレットが異形パレットであることを特徴とする請求項１又は２に記載の機械式駐車装置。
【請求項５】
入出庫階があり、常時は前記入出庫階にあるパレットと、常時は前記入出庫階の真上の階にあるパレットがあり、前記入出庫階にあるパレットは基準パレットであり、前記真上の階にあるパレットが異形パレットであることを特徴とする請求項１乃至４のいずれかに記載の機械式駐車装置。
【発明の詳細な説明】
【技術分野】
【０００１】
本発明は、立体式の機械式駐車装置に関するものである。即ち本発明は、車両を載置する複数のパレットを有し、当該パレットが複数段に設置された機械式駐車装置に関するものである。
【背景技術】
【０００２】
限られた面積の土地を有効利用し、より多数の車両を駐車させる装置として、機械式駐車装置が知られている。
機械式駐車装置は、自動車等の車両を立体的に駐車させる装置である。代表的な機械式駐車装置は、車両を載置するパレットと、このパレットを昇降移動させる昇降装置を有している。
また機械式駐車装置では、特定の階が入出庫階となっている。
仮にパレットが入出庫階にある場合には、パレットをその位置においたままの状態で車両の出し入れを行う。仮にパレットが他の階にある場合には、パレットを昇降移動して入出庫階に移動させ、当該パレットに対して車両の出し入れを行う。
【０００３】
またパズル式立体駐車装置と称されるものは、パレットを昇降移動させるだけでなく、パレットを横行移動させる機能も有している。
立体駐車装置は、例えば特許文献１、２、３に開示されている。
【０００４】
一般にパレット１００は、図９（ａ）の様に、平面視が長方形であり、断面形状は、図９（ｂ）の様に凹状となっている。即ちパレット１００は、幅方向の中央に車両を載せる載置部２があり、その両脇に立ち上がり部８ａ、８ｂがある。
立ち上がり部８ａ、８ｂは、一般に載置部２から垂直に近い角度で曲げられた縦壁部５ａ、５ｂと、縦壁部５ａ、５ｂの端部から略水平に延びる水平部６ａ、６ｂによって構成されている。
機械式駐車装置では、上記したパレット１００が上下方向に複数段に設置されている。また多くの機械式駐車装置では、パレット１００が横方向にも並べられており、例えば図１０の様にパレット１００が縦横行列状に配置されている。
【０００５】
従来技術の機械式駐車装置では、上記した様に複数のパレット１００を内蔵しているが、内蔵するパレット１００の形状はいずれも同じである。
即ちパレット１００の全幅Ｌ、載置部２の幅Ａ、水平部６ａ、６ｂの幅Ｂ及び立ち上がり部８ａ、８ｂの高さＨは全てのパレット１００で共通する。
【先行技術文献】
【特許文献】
【０００６】
【特許文献１】特許第３１８９０７８号公報
【特許文献２】特開平７−４２３８８号公報
【特許文献３】特開平９−１３７６１９号公報
【発明の概要】
【発明が解決しようとする課題】
【０００７】
機械式駐車装置に車両を入れる場合には、使用者が車両に乗り、車両を運転してパレット１００上に車両を載せる。その後、使用者は車両から降り、パレット１００の上を歩いて機械式駐車装置の外に移動する。多くの場合、使用者は図１０の様にパレット１００の水平部６ａ、６ｂの上を歩く。
また機械式駐車装置から車両を出す場合には、使用者はパレット１００の水平部６ａ、６ｂの上を歩いて車両に乗り、車両を発進させる。
ここでパレット１００の水平部６ａ、６ｂが、水で濡れている場合がある。一般に、パレット１００は、鋼板で作られているので、水で濡れていると滑り易く危険である。
【０００８】
パレット１００の水平部６ａ、６ｂが水で濡れる原因は、一つではない。
本発明者らは、パレット１００の水平部６ａ、６ｂが濡れる原因の一つを発見した。
即ち、図１０の様に天井側（上部のパレット１００Ｂの裏面１０１）に水滴１０２が発生し、天井側から水滴１０２が落下してパレット１００Ａの水平部６ａ、６ｂを濡らすことがあった。
なお上部のパレット１００Ｂの裏面１０１に水滴が発生する原因についても一つではない。考えられる原因の一つとして、自動車のボンネット上に雨水がたまり、当該雨水がボンネットの熱によって蒸発し、それが上部のパレット１００Ｂの裏面１０１で冷やされて液化し、水滴１０２となることが考えられる。
また雨水が回りこむことも考えられる。
【０００９】
本発明は、従来技術の上記した問題点に注目し、パレットの水平部が濡れる原因の一つを除くことができる機械式駐車装置を開発することを課題とするものである。
【課題を解決するための手段】
【００１０】
上記した課題を解決するための態様は、車両を載置する複数のパレットを有し、当該パレットが少なくとも上下２段に設置され、前記パレットを移動させる移動手段を有し、必要に応じて前記パレットを特定の階に移動して車両の出し入れを行う機械式駐車装置において、前記パレットには基準パレットと異形パレットが含まれ、前記基準パレット及び異形パレットは、いずれも中央に車両を載せる載置部が設けられ、少なくとも幅方向の一方の側方に前記載置部から立ち上がった立ち上がり部があり、前記異形パレットは、基準パレットに比べて前記立ち上がり部の立ち上がり位置が幅方向の中央寄りとなっており、前記基準パレットの真上の位置に前記異形パレットが配置される場合があることを特徴とする機械式駐車装置である。
【００１１】
「基準」「異形」は、二種類のパレットを区別するための用語に過ぎず、「基準」のパレットが多数であることを意味するものではない。
本態様の機械式駐車装置では、パレットの形状が上下で相違する。本態様の機械式駐車装置では、下部側のパレット（以下  下部側パレット）は基準パレットである。その真上のパレット（以下  上部側パレット）は、異形パレットであり、下の基準パレットに比べて立ち上がり部の立ち上がり位置が幅方向の中央寄りとなっている。そのため、上部側パレットに付着し、上部側パレットを伝って移動し、下に落下する水滴は、下部パレットの載置部に落ち、立ち上がり部を濡らし難い。
以下、説明する。
パレットを上面側から見ると、中央の載置部が凹んだ形状である。これに対してパレットを下から見ると、逆に中央の載置部が下方に突出し、立ち上がり部が凹んだ形状であると言える。
下部側パレットが設置された空間に対しては、上部側パレットの裏面が天井面となる。ここで下部側パレット側から上部側パレットを見ると、中央の載置部が天井面の大部分の面積を占め、その両脇の立ち上がり部は、載置部の縁から上方に向かって立ち上がっている。
水滴は、天井たる上部側パレットの載置部の裏面に付着する。上部側パレットは、幅方向に水平姿勢となる様に設計されているが、実際には僅かにいずれかの方向に傾いている。
そのため載置部の裏面に付着した水滴は、載置部の裏面を伝って一方の辺側に移動する。
しかしながら、立ち上がり部は、前記した様に上方に向かって立ち上がっているので、水滴は載置部の裏面の辺部で止まる。そして水滴は次第に成長し、遂には載置部の縁から落下する。
ここで上部側パレットは、下部側パレットに比べて立ち上がり部の立ち上がり位置が幅方向の中央寄りとなっている。そのため、上部側パレットの載置部の縁の真下の位置は下部側パレットの載置部であり、水滴は下部側パレットの載置部に落ちる。
【００１２】
上記した態様において、特定の階に前記パレットが横方向に並んで配置されたパレットの組み合わせが存在し、さらにその真上の階にもパレットが横方向に並んで配置されたパレットの組み合わせが存在し、前記特定の階における前記組み合わせを構成するパレットはいずれも基準パレットであり、当該組み合わせを構成する基準パレットには、少なくとも隣接側に前記立ち上がり部があり、その真上の階における前記組み合わせを構成するパレットはいずれも異形パレットであり、当該組み合わせを構成する異形パレットにも、少なくとも隣接側に前記立ち上がり部があることが望ましい。
【００１３】
上記した態様において、前記パレットが上下に複数段、且つ横方向に複数列設置され、前記移動手段は、前記パレットを昇降移動させる昇降手段と、前記パレットを水平移動させる横行手段を備え、入出庫階があり、当該入出庫階にあるパレットは水平移動可能であり、それよりも上の階にあるパレットは、水平移動及び／又は昇降移動可能であり、入出庫階にあるパレットから車両を出し入れする場合には、当該入出庫階にパレットを置いた状態で車両を出し入れし、それよりも上の階にあるパレットから車両を出し入れする場合には、当該パレットを入出庫階に移動させた状態で車両を出し入れするものであり、前記入出庫階にあるパレットは基準パレットであり、その真上の階に配されたパレットは異形パレットであることが望ましい。
【００１４】
本態様は、パズル式の機械式駐車装置に本発明を採用したものである。
【００１５】
上記した態様において、前記パレットが上下２段、且つ横方向に複数列設置され、さらにその下にパレット収容空間が設けられたピット二段式の機械式駐車装置であり、下段のパレットが基準パレットであり、上段のパレットが異形パレットであることが望ましい。
【００１６】
本態様は、ピット二段式の機械式駐車装置に本発明を採用したものである。
【００１７】
入出庫階があり、常時は前記入出庫階にあるパレットと、常時は前記入出庫階の真上の階にあるパレットがあり、前記入出庫階にあるパレットは基準パレットであり、前記真上の階にあるパレットが異形パレットであることが望ましい。
【００１８】
ここで「常時は前記入出庫階にある」とは、常に入出庫階にあって他の階に移動することがない場合と、原則的に入出庫階にあるが、必要に応じて他の階に移動することもある場合の双方を含む概念である。
使用者は、入出庫階で車両の出し入れを行うので、「常時は前記入出庫階にある」は、人が歩く機会が多い。逆に言えば、他の階のパレット上を人が歩くことは少ない。
本態様の機械式駐車装置は、人が歩くことが多い「常時は前記入出庫階にある」パレットが水に濡れにくい。
【発明の効果】
【００１９】
本発明の機械式駐車装置は、パレットの水平部が濡れにくく、安全性が高い。
【図面の簡単な説明】
【００２０】
【図１】本発明の実施形態の機械式駐車装置の斜視図である。
【図２】図１の機械式駐車装置の概念図である。
【図３】図２の円内の拡大図である。
【図４】図１の機械式駐車装置から車両を出庫する際の手順を説明する説明図である。
【図５】（ａ）（ｂ）は基準パレットと異形パレットの正面図であり、基準パレットと異形パレットを比較して説明する説明図である。
【図６】本発明の他の実施形態の駐車装置の正面図である。
【図７】図６の機械式駐車装置の概念図であり、（ａ）は各パレットに車両を収容した状態を示し、（ｂ）は上段のパレットから車両を出庫させる際の状態を示す。
【図８】図２の円内の拡大図であり、使用者が縦壁部と載置部との境界部分を歩く様子を示す。
【図９】（ａ）はパレットの斜視図であり、（ｂ）はその正面図である。
【図１０】従来技術の機械式駐車装置の概念図である。
【発明を実施するための形態】
【００２１】
以下さらに本発明の実施形態について説明する。
本発明の特徴的構成の説明に先立ち、本発明が適用される機械式駐車装置１の概要及び基本的動作について簡単に説明する。
本実施形態の機械式駐車装置１は、４階構造の機械式駐車装置１である。機械式駐車装置１には、図２の様に各階にそれぞれ４室の車両設置エリアＡ、Ｂ、Ｃ、Ｄがある。
機械式駐車装置１は、パズル式立体駐車装置とも称されるものであり、各階に車両を載置するパレット１０、１１がある。なお後記する様に機械式駐車装置１には二種類のパレット１０、１１がある。
ここでパレット１０、１１の数は不揃いであり、最上階たる４階には、全ての車両設置エリアＡ、Ｂ、Ｃ、Ｄにパレット１０がある。
これに対して４階よりも下の下層階（３階、２階、１階）に設置されたパレット１０、１１の数は、車両設置エリアの数よりも少ない。即ち図２に示す機械式駐車装置１では、下層階（３階、２階、１階）にパレット１０、１１がそれぞれ３台設置されている。
【００２２】
最上階たる４階の車両設置エリアＡ、Ｂ、Ｃ、Ｄは、パレット１０を昇降移動させる昇降手段（図示せず）を備えている。
これに対して下層階（３階、２階、１階）の車両設置エリアＡ、Ｂ、Ｃ、Ｄは、パレット１０、１１を昇降移動させる昇降手段（図示せず）と、パレット１０、１１を横行移動させる横行手段（図示せず）を備えている。
【００２３】
次に機械式駐車装置１の動作について説明する。なお説明の便宜上、各階の車両設置エリアＡ、Ｂ、Ｃ、Ｄを４−Ａ、３−Ｂの様に表記する。車両設置エリア４−Ａは、４階の車両設置エリアＡを示し、３−Ｂは、３階の車両設置エリアＢを示す表示である。
例えば、図４（ａ）の様に各階の全てのパレット１０、１１に車両が設置されている状態であって、車両設置エリア４−Ｂの車両を出庫したい状況であり、且つ車両設置エリア４−Ｂの真下の車両設置エリアたる３−Ｂ、２−Ｂ、１−Ｂに車両が存在すると仮定する。図４（ａ）では、車両設置エリア３−Ｃ、２−Ｃ、１−Ｃにはパレット１０、１１は無い。
【００２４】
上記した様な場合は、下層階（３階、２階、１階）の横行手段を駆動させて、図４（ｂ）の様に下層階（３階、２階、１階）のパレット１０、１１を横にずらす。より具体的には、車両設置エリア３−Ｂ、２−Ｂ、１−Ｂのパレット１０、１１をそれぞれ図面右方向に移動させ、車両設置エリア３−Ｂ、２−Ｂ、１−Ｂのパレット１０、１１を車両設置エリア３−Ｃ、２−Ｃ、１−Ｃに移動させて、車両設置エリア３−Ｂ、２−Ｂ、１−Ｂを空き状態とする。こうして出庫したい階（４階）の車両エリア（Ｂ）の下を全て空き状態にする。
この状態で、車両設置エリア４−Ｂの昇降手段を駆動し、車両設置エリア４−Ｂにあったパレット１０を１階に下ろす。そして車両を発進させて車両を機械式駐車装置１から出庫させる。
【００２５】
本実施形態の機械式駐車装置１では、１階に配置されたパレット１０は、常に１階（入出庫階）にある。
また２階に配置されたパレット１１は、常時は２階にあり、２階に配置されたパレット１１から車両を入出庫する場合に限り１階に移動する。
３階、４階に配置されたパレット１０は、常時はその階にあり、当該パレット１０から車両を入出庫する場合に限り１階に移動する。
従って、本実施形態の機械式駐車装置１では、常時は、入出庫階には１階のパレット１０があり、その真上には２階のパレット１１がある。
【００２６】
次に本実施形態の機械式駐車装置１の特徴的構成について説明する。
本実施形態の機械式駐車装置１で採用されているパレット１０、１１には、図５の様な基準パレット１０と、異形パレット１１の二種類がある。
図５（ｂ）に示す様に基準パレット１０の形状は、従来と同様であり、全幅Ｌ、載置部２の幅Ａ、水平部６ａ、６ｂの幅Ｂ及び立ち上がり部８ａ、８ｂの高さＨである。
【００２７】
これに対して異形パレット１１は、基準パレット１０に比べて立ち上がり部８ａ、８ｂの立ち上がり位置７ａ、７ｂが幅方向の中央寄りとなっている。
即ち図５（ａ）に示す様に異形パレット１１は、立ち上がり部８ａ、８ｂと載置部２との境界が、基準パレット１０に比べて幅方向の中央寄りとなっている。
より具体的に説明すると、前記した様に立ち上がり部８ａ、８ｂは、縦壁部５ａ、５ｂと水平部６ａ、６ｂを有するので、縦壁部５ａ、５ｂと載置部２との境界の位置が、基準パレット１０に比べて幅方向の中央寄りとなっている。
【００２８】
即ち、異形パレット１１の全幅ＬＡは、基準パレット１０の全幅Ｌと等しい。異形パレット１１の載置部２の幅ａは、基準パレット１０の載置部２の幅Ａよりも狭い。異形パレット１１の水平部６ａ、６ｂの幅ｂは、基準パレット１０の水平部６ａ、６ｂのＢよりも広い。異形パレット１１の立ち上がり部８ａ、８ｂの高さｈは、基準パレット１０の立ち上がり部８ａ、８ｂの高さＨと等しい。
【００２９】
従って両者のサイズには次の関係がある。
ＬＡ＝Ｌ
ａ＜Ａ
ｂ＞Ｂ
ｈ＝Ｈ
【００３０】
本実施形態の機械式駐車装置１では、入出庫階たる１階に配置されたパレットが全て基準パレット１０であり、その真上の階たる２階に配置されたパレットが全て異形パレット１１である。
他の階のパレットは、いずれも基準パレット１０である。
機械式駐車装置１では、１階にパレット１０が３台設置されている。そのため１階にはパレット１０が横方向に並んで配置されたパレットの組み合わせが存在する。
即ち図２の状態を基準とするならば、車両設置エリア１−Ａ、１−Ｂのパレット１０によって横方向に並んで配置されたパレットの組み合わせが１組存在する。
なお１階の設置されたパレット１０は横方向に移動するので、移動後の位置によって、車両設置エリア１−Ｂ、１−Ｃのパレット１０によって横方向に並んで配置されたパレットの組み合わせが構成される場合がある。同様に車両設置エリア１−Ｃ、１−Ｄのパレット１０によって横方向に並んで配置されたパレットの組み合わせが構成される場合がある。
【００３１】
一方、真上の２階にもパレット１１が横方向に並んで配置されたパレット１１の組み合わせが存在する。２階のパレット１１は、横方向にも移動するが、図２の状態を基準とするならば、車両設置エリア２−Ａ、２−Ｂのパレット１１によって横方向に並んで配置されたパレットの組み合わせが１組存在する。
なお２階の設置されたパレット１１は横方向に移動するので、移動後の位置によって、車両設置エリア２−Ｂ、２−Ｃのパレット１１によって横方向に並んで配置されたパレットの組み合わせが構成される場合がある。同様に車両設置エリア２−Ｃ、２−Ｄのパレット１１によって横方向に並んで配置されたパレットの組み合わせが構成される場合がある。
【００３２】
本実施形態の機械式駐車装置１においても、図３の様に１階部分の天井側（上部のパレット１１の裏面１２）に水滴１５が付着する。
しかしながら、本実施形態の機械式駐車装置１では、パレットの形状が入出庫階（１階）に設置されたパレット１０と、１階の天井を構成する２階とパレット１１で相違する。本実施形態の機械式駐車装置１では、１階のパレット１０は基準パレット１０である。その真上の２階のパレット１１は、異形パレット１１であり、下のパレット１０に比べて立ち上がり部８ａ、８ｂの立ち上がり位置７ａ、７ｂが幅方向の中央寄りとなっている。そのため、２階のパレット１１に付着し、２階のパレット１１を伝って移動し、下に落下する水滴１５は、下（１階）のパレット１０の載置部２に落ち、立ち上がり部８ａ、８ｂを濡らし難い。
【００３３】
例えば１階の車両設置エリア１−Ａの空間に対しては、２階の車両設置エリア２−Ａのパレット１１の裏面１２が天井面となる。ここで下部側（１階）のパレット１０側から上部側（２階）パレット１１を見ると、中央の載置部２が天井面の大部分の面積を占め、その両脇の立ち上がり部８ａ、８ｂは、載置部２の縁から上方に向かって立ち上がっている。
【００３４】
水滴１５は、天井たる２階のパレット１１の載置部２の裏面１２に付着する。２階の上部側パレット１１は、幅方向に水平姿勢となる様に設計されているが、実際には僅かにいずれかの方向に傾いている。
そのため載置部２の裏面１２に付着した水滴１５は、載置部２の裏面１２を伝って一方の辺側に移動する。
【００３５】
しかしながら、２階のパレット１１の立ち上がり部８ａ、８ｂは、前記した様に上方に向かって立ち上がっているので、水滴１５は載置部２の辺部に止まる。そして水滴１５は次第に成長し、遂には２階のパレット１１の載置部２の縁から落下する。
ここで２階のパレット１１は、異形パレット１１であり、１階のパレット１０に比べて立ち上がり部８ａ、８ｂの立ち上がり位置７ａ、７ｂが幅方向の中央寄りとなっている。そのため、２階のパレット１１の載置部２の縁の真下の位置は１階のパレット１０の載置部２であり、水滴は図３の様に１階のパレット１０の載置部２に落ちる。
そのため１階のパレット１０の水平部６ａ、６ｂに水滴は落ちず、水平部６ａ、６ｂは濡れない。そのため滑りにくく、安全性が高い。
【００３６】
以上説明した実施形態の機械式駐車装置１は、パズル式立体駐車装置であるが、他の形式の機械式駐車装置に本発明を適用することもできる。
例えば、ピット二段式の立体駐車装置に本発明を適用することもできる。
図６は、本発明の他の実施形態の機械式駐車装置５０であり、ピット二段式の立体駐車装置である。
本実施形態の機械式駐車装置５０は、地上２階、地下１階の構造である。機械式駐車装置５０では、図７の様に１階部分と２階部分に車両設置エリアＡ、Ｂ、Ｃがある。
そして１階部分と２階部分に、車両を載置するパレット１０、１１がある。地下は車両を収容可能な容積を有するパレット収容空間５１である。
【００３７】
機械式駐車装置５０では、パレット１０、１１を昇降移動させる昇降手段が設けられている。
機械式駐車装置５０では、常時は１階部分と２階部分にパレット１０、１１がある。１階部分に設置されたパレット１０は、基準パレット１０である。２階部分に設置されたパレット１１は、異形パレット１１である。
１階部分に設置されたパレット１０から車両を出し入れする際には、図７（ａ）の様にパレット１０、１１を移動させることなく実施する。
２階部分に設置されたパレット１１から車両を出し入れする際には、図７（ｂ）の様に、その縦列のパレット１０、１１を降下させ、１階部分にあったパレット１０を地下のパレット収容空間５１に下ろし、２階部分に設置されていたパレット１１を１階の入出庫階に下ろす。そして１階部分に下ろされたパレット１１から車両を出し入れする。
【００３８】
本実施形態の機械式駐車装置５０においても、１階のパレット１０の水平部６ａ、６ｂに水滴は落ちず、水平部６ａ、６ｂは濡れない。
【００３９】
以上説明した実施形態では、いずれもパレット１０、１１が横方向に二列以上に配置されていて特定の段において隣接する２個のパレット１０、１１の組み合わせが存在する。  組み合わせを構成する基準パレット１０には、両側に立ち上がり部８ａ、８ｂがある。同様に組み合わせを構成する異形パレット１１にも、両側に立ち上がり部８ａ、８ｂがある。
そのため同じ階の２個のパレット１０、１１の合致部分では、パレット１０の水平部６ａ、６ｂが繋がり、全体として広い幅の歩道ができる。
しかしながら本発明は、この構成に限定されるものではなく、パレットが横方向に並んでおらず、単に縦（高さ方向）に一列にパレット１０、１１が配置されたものであってもよい。即ち機械式駐車装置１、５０は、正面から見てパレット１０、１１が横方向と縦方向の行列状に配置されているが、本発明はこの構成に限定されるものではなく、縦方向にのみ配列されたものであってもよい。
【００４０】
上記したパレット１０、１１の形状は、標準的なパレット１０、１１の形状を模式的に表現したものに過ぎず、実際のパレットは、各部に凹凸や切り欠き等がある。
また立ち上がり部８ａ、８ｂの縦壁部５ａ、５ｂが傾斜形状であるものもある。
【００４１】
以上説明した機械式駐車装置１、５０によると、入出庫階のパレット１０の水平部６ａ、６ｂに水滴が落ち難く、水平部６ａ、６ｂは濡れ難い。前記した様に、使用者は入出庫階のパレット１０の水平部６ａ、６ｂ上を歩く場合が多いが、機械式駐車装置１、５０によると、入出庫階のパレット１０の水平部６ａ、６ｂが濡れ難いので、使用者が滑る懸念が低い。
また実施形態の副次的作用として、歩行領域の天井高さを高くすることができる。
前記した様に、使用者は入出庫階のパレット１０の水平部６ａ、６ｂを歩く場合が多いが、入庫した車両が小型である場合には、載置部２を歩くこともある。
この場合、載置部２の大部分を入庫した車両が占めることとなるので、図８の様に使用者は縦壁部５ａ、５ｂと載置部２との境界部分を歩くこととなる。
【００４２】
ここで上記した実施形態の機械式駐車装置１、５０では、入出庫階のパレット１０に対し、その上のパレット１１は、水平部６ａ、６ｂの幅が広い。そのため、入出庫階側から見て、二階部分の凹部（立ち上がり部８ａ、８ｂで形成される凹部）の幅が広く、使用者の頭上空間の天井高さが高くなる。
そのため、長身の人が、図８の様に使用者は縦壁部５ａ、５ｂと載置部２との境界部分を歩いても、天井に頭をぶつける危険性が低い。
【符号の説明】
【００４３】
１、５０  機械式駐車装置
２  載置部
８ａ、８ｂ  立ち上がり部
６ａ、６ｂ  水平部
７ａ、７ｂ  立ち上がり位置
１０  基準パレット
１１  異形パレット
１２  裏面
１５  水滴
５１  パレット収容空間
【図１】
2020190125.tif 000003
【図２】
2020190125.tif 000004
【図３】
2020190125.tif 000005
【図４】
2020190125.tif 000006
【図５】
2020190125.tif 000007
【図６】
2020190125.tif 000008
【図７】
2020190125.tif 000009
【図８】
2020190125.tif 000010
【図９】
2020190125.tif 000011
【図１０】
2020190125.tif 000012